【事件の表示】
　特願２００１−２８２９４９「コピー防止した音楽ＣＤの生産システム」拒絶査定不服審判事件〔平成１５年　３月２８日出願公開、特開２００３−　９１９２６〕について、次のとおり審決する。
【結　論】
　本件審判の請求は、成り立たない。
【理　由】
１．手続の経緯
　　　　
　本願は、平成１３年９月１８日の出願であって、平成１７年８月１０日付けの拒絶理由の通知に応答して同年１０月１４日付けで手続補正がなされたが、同年１２月９日付けで拒絶査定がなされ、これに対し、平成１８年１月１７日に拒絶査定不服審判が請求されたものである。
　　　
２．本願発明について
　
　本願の請求項１乃至１１に係る発明は平成１７年１０月１４日付けで手続補正された特許請求の範囲の請求項１乃至１１に記載されたとおりのものと認められるところ、そのうち請求項１に係る発明（以下「本願発明」という。）は、次のとおりである。
「音楽ソースからＥＦＭ信号を生成するフォーマッタと、該フォーマッタから出力されるＥＦＭ信号を受け取って、該ＥＦＭ信号中、ＴＯＣ部分におけるサブコードＱチャネルのコントロール部について、局所的にデジタルデータの識別情報を設定することによりコピー防止加工を施すコピー防止加工手段と、該コピー防止加工手段から出力される加工後のＥＦＭ信号に従いスタンパーを作成するレーザー露光器と、を少なくとも備えた音楽ＣＤの生産システムであって、
　前記コピー防止加工手段は、ＥＦＭ信号を受信してサブコードを読み取るためのサブコードリードユニットと、該サブコードリードユニットを経た後のＥＦＭ信号を所定時間遅延させるディレイユニットと、該ディレイユニットを経た後のＥＦＭ信号を受信してサブコードを書き換えるためのサブコードライトユニットと、ＥＦＭ信号を受信した前記サブコードリードユニットからサブコードを読み取ってＱチャネルコードを抽出するリードプロセッサと、その抽出されたＱチャネルコード中の該当箇所を変更するコンピュータと、前記リードプロセッサが読み取ったサブコードに、前記コンピュータによる変更後のＱチャネルコードを組み込み、このサブコードを前記サブコードライトユニットへ送って該サブコードライトユニットに受信されているＥＦＭ信号のサブコードを書き換えるライトプロセッサと、を含んで構成されることを特徴とする生産システム。」
　　　　　
３．刊行物
　　
　本願の出願前に頒布された刊行物であって原査定の拒絶の理由に引用された国際公開第００／７４０５３号パンフレット（以下「刊行物」という。特表２００３−５００７８９号公報参照。）には、THE COPY PROTECTION OF DIGITAL AUDIO COMPACT DISCS（（訳）ディジタルオーディオコンパクトディスクのコピー保護）に関して、図面とともに次の事項が記載されている。（なお、翻訳文は前掲公表公報を参考にして当審による。また、下線は当審で付与した。）
　
（あ）「13. 
A copy protected digital audio compact disc
（（訳）【請求項１３】  データリーダにより使用できる制御データがコンパクトディスク上に符号化されており、かつ、選択された制御データが間違い及び／又は不正確にされる
コピー保護されたディジタルオーディオコンパクトディスク
　　
（い）「21. A copy protected digital audio compact disc as claimed in any of Claims 13 to 20, wherein the incorrect control data encoded onto the compact disc defines the nature of the tracks on the disc. 
　　　　　　
22. A copy protected digital audio compact disc as claimed in Claim 21, wherein the incorrect control data incorrectly identifies each audio track as a data track. 
　　　　　
23. A copy protected digital audio compact disc as claimed in any of Claims 13 to 22, wherein the incorrect control data encoded onto the compact disc is control data in the Table of Contents (TOC) of the disc. 」（１３頁６乃至１６行）
（（訳）【請求項２１】  コンパクトディスク上に符号化された間違いの制御データは、ディスクのトラックの特性を定義する請求項１３乃至２０のうちいずれか一項記載のコピー保護されたディジタルオーディオコンパクトディスク。
    【請求項２２】  間違いの制御データは、各オーディオトラックをデータトラックとして間違って識別する請求項２１記載のコピー保護されたディジタルオーディオコンパクトディスク。
    【請求項２３】  コンパクトディスク上に符号化された間違いの制御データは、ディスクのテーブルオフコンテンツ（ＴＯＣ）内の制御データである請求項１３乃至２２のうちいずれか一項記載のコピー保護されたディジタルオーディオコンパクトディスク。）
　　　
（う）「The present invention relates to a method of copy protecting a digital audio compact disc, and to a copy protected digital audio compact disc. 
　　
　
Digital audio compact discs (CD-DA) which carry music
　　
　The present invention seeks to provide a method of copy protecting a digital audio compact disc.」（１頁３乃至１４行）
（（訳）【０００１】
  本発明は、ディジタルオーディオコンパクトディスクをコピー保護する方法と、コピー保護されたディジタルオーディオコンパクトディスクに関する。
      【０００２】
  
音楽
を担うディジタルオーディオコンパクトディスク（ＣＤ−ＤＡ）
      【０００３】
  本発明は、ディジタルオーディオコンパクトディスクをコピー保護する方法を提供する。）
　　　　　　
（え）「Preferably, 
the control data encoded on the compact disc is altered, to render it incorrect, prior to mastering of the disc.
（（訳）【００１４】
  好ましくは、
コンパクトディスク上に符号化された制御データは、ディスクのマスタリングに先立ち、間違いにするために変更される．
　本発明は、データリーダにより使用できる制御データがコンパクトディスク上に符号化されており、かつ、選択された制御データを間違い及び／又は不正確にされるコピー保護されたディジタルオーディオコンパクトディスクも含む。）
　　　　　
（お）「An audio player, be it a dedicated compact disc music player, or a more sophisticated CD-ROM drive when controlled to play an audio disc, on looks for and uses data encoded to Red Book standards. What is more, if there appears to be an inaccuracy in the data, an audio player will generally continue to play rather than trying to correct the error. For example, if the read head has navigated to the start of a track and commenced to play that track, the audio player will continue to play that track to its end, even if it becomes apparent that there is some error in the timing information, for example. By contrast, a data reader is arranged to identify and correct errors. 
　　　　
　The present invention therefore suggests that errors should be deliberately introduced into the encoded data. For example, errors may be introduced into the Red Book data, but the introduced errors should be of a type which are generally transparent to an audio player. Alternatively, the audio discs may be encoded with selected and incorrect Yellow Book data which is not utilised by an audio player. In each case, the errors are chosen such that a data reader is unable to read or play the audio disc. It will be appreciated that 
a system of the invention
（（訳）【００３１】
  専用のコンパクトディスク音楽プレーヤ又は、オーディオディスクを再生する様に制御されたときの高度なＣＤ−ＲＯＭドライブは、レッドブック規格に符号化されたデータを検索しそして使用する。更に、データ内に不正確さがある場合には、オーディオは一般的には、誤りを訂正しようとするよりも、むしろ再生を継続する。例えば、リードヘッドがトラックの先頭にナビゲートされ、そして、トラックの再生が開始すると、オーディオプレーヤは、例えば、タイミング情報に幾つかの誤りがあることが明らかでも、最後までトラックの再生を継続する。対照的に、データリーダは、誤りを識別しそして、訂正するようになされる。
      【００３２】
  従って、本発明は、符号化されたデータに誤りが故意に導入されるべきである。例えば、誤りは、レッドブックデータに導入されうるが、しかし、導入される誤りオーディオプレーヤには一般的には、透明でなければならない。かわりに、オーディオディスクは、オーディオプレーヤでな使用されていない、選択されかつ間違いのイエローブックデータと共に符号化されても良い。いずれの場合にも、誤りは、データリーダがオーディオディスクを読み又は再生することができないように選択される。
本発明のシステム
　　
（か）「Briefly, 
the data on a CD is encoded into frames by EFM(eight to fourteen modulation)
　　　　　
　There are 8 sub-code bits contained in every frame and designated as P, Q, R, S, T, U, V and W. Generally only the P and Q sub-code bits are used in the audio format. The standard requires that 98 of the frames of Figure 2 are grouped into a sector, and the sub-code bits from the 98 frames are collecte to form sub-code blocks. That is, each sub-code block is constructed a byte at a time from 98 successive frames. In this way, 8 different subchannels, P to W, are formed. These subchannels contain control data for the disc. The P-and Q-subchannels incorporate timing and navigation data for the tracks on the disc, and generally are the only subchannels utilise on an audio disc. 
　　　
　
The data format for a Q-subchannel block assembled from 98 successive frames is indicated in Figure 3. As is apparent, the start of the subchannel block is indicated by the appearance of sync patterns SO and S1 as the first 2 symbols. The next data bits are control bits to define the contents of a track. Thus, the control bits might identify audio content or data content.
　
　Figure 4 illustrates the data content of a Q-subchannel block in each of the four modes designated by the address information, ADR. In Mode 0, all of the Q-data has a value of zero. In Mode 0, the data of the P-subchannel is also set to zero. In Mode 2, the Q-data comprises a catalogue number for the disc, such as a bar code of the Universal Product Code. In addition, in Mode 2 the Atime count from adjacent blocks is continued. Mode 3 is used to give ISR code for identifying each music track. In addition, and as is illustrated, in Mode 3 the absolute time count, Atime, is continued. 
　
　As indicated in Figure 4, in Mode 1 the Q-data in each subchannel block contains program and time information for individual audio tracks and for the information area of the disc. As is illustrated, there is a different format for the Q-data for the Lead-In area to that within the program and Lead-Out areas. However, in both formats in Mode 1, the Q-data gives information as to the time along a track. The running time of a track is referred to as the Ttime, is in minutes, seconds and frames, and TMin, TSec and TFrame are all components of Ttime. In the program and Lead-Out areas, the Q-data addition includes information about the absolute time, Atime, on the disc in minutes, seconds and frames, and Amin, Asec and Aframe are all components of Atime. 
　　
　Figure 5 shows graphically how Atime and Ttime vary across a disc. Atime is the absolute time across the disc and starts at zero at the beginning of the program area. Ttime is the running time within each track and thus starts at zero at the beginning of each track. Thus, and as illustrated in Figure 5, Atime increases monotonically across the disc whilst Ttime increases along each individual track. As is also illustrated in Figure 5, the P-subchannel includes flags F which each indicate the start of a respective track. The P-subchannel flags also designate the Lead-Out area. 
　
　As indicated in Figure 4, in Mode 1 each Q-subchannel block contains the next consecutive values for Atime and Ttime. When an audio player is to play an audio track, the head is navigated to the commencement of the track. The navigation may be by way of the Atime, the Ttime, and/or the P-subchannel flags, or by some combination thereof. In general, once an audio player has commenced playing a track, it will continue. Playing of the track is not generally stopped if any data errors are located, and thus the audio player effectively ignores any data errors which arise. Thus, if an audio player can be reliably navigated to the commencement of a track, it can be expected to provide a continuous audio output from that track without problem. 
　
　As set out above, in Mode 1 
the Q-data provides the TOC
　　　　
　Figure 6b shows in table form part of the TOC from Figure 6a after it has been altered to copy protect the disc. Specifically, it will be seen that, at 20, the Atime from the start of the disc program area to Lead-Out has been set to zero indicating that the Lead-Out is at the commencement of the pregap of the first audio track. A data reader, therefore, accessing the disc 6 will read from the Lead-In information signifying that the disc does not have a program area and that the Lead-In is directly followed by the Lead-Out. The data reader will refuse to move the read head beyond the start of the audio track because it believes that the first track starts within the Lead-Out. A data reader, therefore, will be unable to read or play the disc with the TOC of Figure 6b. 
　　　
　It will be appreciated that the values in the tables of Figures 6a and 6b are given only to illustrate how the information is manipulated to provide the copy protection. The actual values of discs in practice may differ from those shown in the tables. 
　　　
　The TOC of Figure 6b has been altered in a second way which also prevents proper use by a data reader of the information on the disc. In this respect, and 
as is apparent from Figures 6a and 6b, the tracks on the audio disc are all audio tracks as noted at 22. In the TOC of Figure 6b these tracks have been erroneously identified as data tracks. 
　
　In the illustrated embodiment, the Atime has been set to zero to indicate that the Lead-Out is at the commencement of the pregap of the first audio track. 
It is also possible to set the Atime for the Lead-Out to an alternative, incorrect, value. Such an incorrect value will confuse a data reader and will generally prevent movement of the read head further across the disc than the position indicated by the incorrect Lead-Out time. For example, the Atime value given in the TOC for the Lead-Out might indicate a position within the first or a subsequent audio track. 
　
　Where the incorrect Atime value for the start time of the Lead-Out points to a position in the program area of the disc, a data reader may be able to access audio data on the disc at positions before that indicated by the incorrect Atime value. However, the amount of accessible audio data can be kept small.  In the future, audio players may be enabled to read the Lead-Out time, for example, and in this circumstance, having the incorrect Lead-Out time identify a position within the first audio track will ensure that the audio player is able to play the copy protected disc. 
　
　The embodiments described and illustrated above identify two alterations that can be made to the data in the Lead-In to an audio disc to copy protect that disc. It will be appreciated that any data which is transparent to the audio player may be altered to prevent the operation of a data reader. Additionally and/or alternatively, data may be provided on an audio disc to prevent the generation of a digital output from the audio player. It will also be appreciated that alternative or addition errors in Red Book or Yellow Book standard data can be introduced as required. 
　
　Further modifications in or variations to the embodiments described above may be made within the scope of the appended claims of this application. 」（６頁２３行乃至１０頁１２行）
（（訳）【００３４】
  簡単には、
ＣＤ上のデータはＥＦＭ（８−１４変調）によりフレームに符号化される。
      【００３５】
  各フレーム毎に８つのサブコードビットがあり、Ｐ，Ｑ，Ｒ，Ｓ，Ｔ，Ｕ，Ｖ及び、Ｗとして指定されている。一般的には、オーディオフォーマット内でＰとＱサブコードビットが使用される。規格は図２の９８のフレームがセクタにグループ化されることを要求し、そして、９８フレームからのサブコードビットは、サブコードブロックを構成するために集められる。即ち、各サブコードブロックはある時点で９８の連続するフレームからのバイトで構成される。このように、８の異なるサブチャネルＰからＷが形成される。これらのサブチャネルはディスクの制御データを含む。Ｐ−及び、Ｑ−サブチャネルは、ディスク上のトラックに対するタイミングとナビゲーションデータを組み込み、そして、一般的には、オーディオディスクで利用されるサブチャネルのみである。
      【００３６】
  
９８連続フレームから集められたＱ−サブチャネルブロックを図３に示す。明らかな様に、サブチャネルブロックの先頭は、最初の２シンボルの同期パターンＳ０とＳ１により示される。次のデータビットは、トラックの内容を定義するためのコントロールビットである。このように、コントロールビットはオーディオコンテンツとデータコンテンツを識別し得る。
      【００３７】
  図４は、アドレス情報ＡＤＲにより指定される４つのモードの各々のＱ−サブチャネルブロックのデータ内容を示す。モード０では、全てのＱ−データはゼロの値を有する。モード０では、Ｐ−サブチャネルのデータもゼロに設定される。モード２では、Ｑ−データは、ユニバーサルプロダクトコードのバーコードようなディスクのカタログ番号を有する。更に加えて、モデータ２では、隣接ブロックからのＡタイムカウントが連続する。モード３では、各音楽トラックを識別するためのＩＳＲコードを与えるのに私用される。更に、図示されている様に、モード３では、絶対時間カウントＡタイムが連続する。
      【００３８】
  図４に示されているように、モード１では、各サブチャネルブロック内のＱ−データは、個々の情報トラックとディスクの情報領域のプログラム及び時間情報を含む。図示されている様に、リードイン領域のＱ−データと、プログラム及び、リードアウト領域のＱ−データは異なるフォーマットである。しかし、モード１の両フォーマットで、Ｑ−データはトラックに沿った情報を与える。トラックの再生時間はＴタイムと呼ばれ、分、秒及び、フレームであり、ＴＭｉｎ、ＴＳｅｃ及び、ＴＦｒａｍｅは全てＴタイムの構成要素である。プログラム及び、リードアウト領域では、Ｑ−データはさらに、分、秒、及び、フレームのディスクに関する、絶対時間Ａタイムに関する情報を有し、Ａｍｉｎ，Ａｓｅｃ，Ａｆｒａｍｅは全てＡタイムの構成要素である。。
      【００３９】
  図５は、ＡタイムとＴタイムがディスクを渡ってどのように変化するかを示す。Ａタイムは、ディスクに渡った絶対時間であり、プログラム領域の先頭でゼロで開始する。Ｔタイムは、各トラック内の経過時間であり、各トラックの先頭でゼロで開始する。図５に示されているように、Ａタイムはディスクを渡って単調に増加し、一方、Ｔタイムは各トラックに沿って増加する。図５に示されているように、Ｐ−サブコードチャネルは、それぞれのトラックの開始を示すフラグＦを含む。図４に示されているように、モード１では、各Ｑ−サブチャネルブロックは、ＡタイムとＴタイムに対する次の連続する値を含む。オーディオプレーヤがオーディオトラックを再生するときに、ヘッドはトラックの開始に操作される。ナビゲーションは、Ａタイム、Ｔタイム及び／又はＰ−サブチャネルフラグ又は、その組合せによりナビゲーションされる。一般的には、一旦オーディオプレーヤがトラックの再生を開始すると、それが継続する。トラックの再生は一般的には、データ誤りがあっても、停止しない。そして、これがオーディオプレーヤに出現するデータ誤りを効果的に無視させる。このように、オーディオプレーヤは、信頼性を持ってトラックの先頭に操作される場合には、問題なしにトラックから連続するオーディオ出力を提供すると期待される。
　　　【００４０】
  上述のように、モード１では、
Ｑ−データは
ＴＯＣを提供する
      【００４１】
  図６ｂは、ディスクをコピー保護するために変更された後の図６ａからのＴＯＣのテーブル形式部分を示す。特に、２０で、ディスクプログラム領域の先頭からリードアウト領域までのＡタイムは、リードアウトは最初のオーディオトラックのプリギャップの開始であることを示す、ゼロに設定されることがわかる。それゆえ、ディスク６にアクセスするデータリーダは、ディスクにはプログラム領域が無くそして、そのリードインに直接リードアウトが続くことを意味するリードイン情報を読む。データリーダは、第１トラックがリードアウト内で開始すると信じているので、オーディオトラックの先頭を超えてリードヘッドを移送することを拒絶する。従って、データリーダは、図６ｂのＴＯＣを有するディスクを読み又は再生することができない。
      【００４２】
  図６ａと６ｂのテーブル内の値は、コピー保護を提供するために情報がどのように操作されるかを示すのみのために与えられることは理解される。ディスクの実際の値はテーブルに示された値と実際には異なってもよい。
      【００４３】
  図６ｂのＴＯＣは、ディスク上の情報のデータリーダによる適切な使用をも防ぐ第２の方法で変更される。これに関しては、そして、
図６ａと６ｂから明らかなように、オーディオディスク上のトラックは、２２で示されるように全てオーディオトラックである。図６ｂのＴＯＣでは、これらのトラックは、データトラックとして誤って識別された。
      【００４４】
  図示した実施例では、Ａタイムは、リードアウトが最初のオーディオトラックのプリギャップの開始にあることを示すゼロに設定される。変わりに、リードアウトのＡタイムを、正しくない値に設定することもできる。そのような正しくない値はデータリーダを混乱させ、そして、一般的に、正しくないリードアウトタイムにより示される位置よりもディスクを更に渡ってリードヘッドを移動することを防ぐ。例えば、リードアウトに関するＴＯＣ内に与えられるＡタイム値は、最初又は、続くオーディオトラック内の位置示し得る。
      【００４５】
  リードアウトの開始時間に対する正しくないＡタイム値が、ディスク内のプログラム領域の位置を示す場合には、データリーダは、正しくないＡタイム値により示されているより前の位置でディスク上のオーディオデータにアクセスできる。しかし、アクセス可能なオーディオデータの量は、小さく保たれる。将来、オーディオプレーヤは、例えば、リードアウトタイムを読むことが可能であろうから、この場合には、正しくないリードアウトタイムに第１のオーディオトラック内の位置を認識させることは、オーディオプレーヤがコピー保護されたディスクを再生できることを保証する。
      【００４６】
  上述の実施例は、そのディスクをコピー保護するために、オーディオディスクのリードイン内のデータに対してなされる２つの変更を示す。オーディオプレーヤに及び、透明などのようなデータもデータリーダの動作を防ぐために変更されうることは理解されよう。更に及び／又は代わりに、オーディオプレーヤからのディジタル出力の発生を防ぐためにオーディオディスク上にデータが設けられても良い。レッドブック又はイエローブック規格データ内の代わりの又は更なる誤りは、必要なら導入され得る。
      【００４７】
  上述の実施例の更なる変形又は変更は、請求項に記載された本出願の範囲内であると理解される。）
　　　　　　　
　上記各摘示事項及び図面を総合勘案すると、刊行物には、以下の発明が記載されているものと認められる。
「コピー保護されたＣＤのシステムであって、
　ＣＤは音楽を担い、
　ＣＤ上のデータはＥＦＭ（８−１４変調）によりフレームに符号化され、
　ＣＤ上に符号化された制御データは、ディスクのマスタリングに先立ち、間違いにするために変更され、
　Ｑ−データはＴＯＣを提供し、
　Ｑ−サブチャネルブロックはオーディオコンテンツとデータコンテンツを識別し得るコントロールビットを有し、
　ＴＯＣでは、オーディオトラックは、データトラックとして誤って識別される、
　ＣＤのシステム。」（以下「刊行物発明」という。）
　　
４．対比・判断
　　　
　本願発明と刊行物発明とを対比する。
（i）刊行物発明における「ＣＤ」は、「音楽を担」うのであるから、本願発明における「音楽ソース」に基づいて生産される「音楽ＣＤ」に相当する。
　そして刊行物発明は、「ＣＤ上のデータはＥＦＭ（８−１４変調）によりフレームに符号化され、」との構成を有するのであるから、本願発明における「ＥＦＭ信号」を実質的に生成するものであって、当該信号が上記「音楽ソース」から生成されるのは明らかである。
　更に刊行物発明は、「ＣＤ上に符号化された制御データは、ディスクのマスタリングに先立ち、間違いにするために変更され、」との構成を有し、上記「ＣＤ上のデータ」中の「制御データ」を変更するという形でＣＤの生産に関与することは明らかであるから、ＣＤの生産システムと言えるものであって、結局刊行物発明は、
「音楽ソースからＥＦＭ信号を生成する」「音楽ＣＤの生産システム」
である点で、本願発明と共通する。
（ii）刊行物発明における「ＴＯＣ」「Ｑ−サブチャネルブロック」「コントロールビット」及び「データコンテンツ」は、本願発明における「ＴＯＣ部分」「サブコードＱチャネル」「コントロール部」及び「デジタルデータ」に各々相当し、刊行物発明における「オーディオトラックは、データトラックとして誤って識別される」は、本願発明における「局所的にデジタルデータの識別情報を設定すること」に相当する。
　そして刊行物発明は、「Ｑ−データはＴＯＣを提供し、Ｑ−サブチャネルブロックはオーディオコンテンツとデータコンテンツを識別し得るコントロールビットを有し、ＴＯＣでは、オーディオトラックは、データトラックとして誤って識別される」との構成により「コピー保護されたＣＤ」のシステムを実現するものであるから、本願発明における
「ＥＦＭ信号中、ＴＯＣ部分におけるサブコードＱチャネルのコントロール部について、局所的にデジタルデータの識別情報を設定することによりコピー防止加工を施すコピー防止加工手段」
に相当する手段を実質的に備えている。
　　　　　　      
　そうすると、刊行物発明と本願発明とは、次の点で一致する。
＜一致点＞
「音楽ソースからＥＦＭ信号を生成する[際]、該ＥＦＭ信号中、ＴＯＣ部分におけるサブコードＱチャネルのコントロール部について、局所的にデジタルデータの識別情報を設定することによりコピー防止加工を施すコピー防止加工手段を少なくとも備えた音楽ＣＤの生産システム。」である点。
　　　　　
　そして、次の点で相違する。
＜相違点１＞
　本願発明では、ＣＤの生産に用いるＥＦＭ信号を生成するに際し、
「音楽ソースからＥＦＭ信号を生成する
フォーマッタと、該フォーマッタから出力されるＥＦＭ信号を受け取って
と、該コピー防止加工手段から出力される加工後のＥＦＭ信号に従い
と、「フォーマッタ」による生成と「コピー防止加工手段」による加工の２段階に区分して生成するのに対し、刊行物発明では、特に区分していない点。
＜相違点２＞
　本願発明では、
「ＥＦＭ信号に従い
スタンパーを作成するレーザー露光器と、
とするのに対し、刊行物発明ではそのように特定していない点。
＜相違点３＞
　本願発明では、
「
前記コピー防止加工手段は、ＥＦＭ信号を受信してサブコードを読み取るためのサブコードリードユニットと、該サブコードリードユニットを経た後のＥＦＭ信号を所定時間遅延させるディレイユニットと、該ディレイユニットを経た後のＥＦＭ信号を受信してサブコードを書き換えるためのサブコードライトユニットと、ＥＦＭ信号を受信した前記サブコードリードユニットからサブコードを読み取ってＱチャネルコードを抽出するリードプロセッサと、その抽出されたＱチャネルコード中の該当箇所を変更するコンピュータと、前記リードプロセッサが読み取ったサブコードに、前記コンピュータによる変更後のＱチャネルコードを組み込み、このサブコードを前記サブコードライトユニットへ送って該サブコードライトユニットに受信されているＥＦＭ信号のサブコードを書き換えるライトプロセッサと、を含んで構成される
と、ＥＦＭ信号を生成する上記２段階のうちの一方に係る「コピー防止加工手段」の具体的構成について特定しているのに対し、刊行物発明では、ＥＦＭ信号の生成を特に区分していない点。
　　
　上記各相違点について検討する。
　相違点１及び３に関し、
　生産の現場においては既存のシステムを活用することは通常に行われるものであり、既存のフォーマッタを用いた上で既存のフォーマッタによるものとは異なる信号を生成するという要望があるのであれば、当該フォーマッタの出力信号を加工するという設計は当業者が適宜なし得たものであって、刊行物発明において、
「音楽ソースからＥＦＭ信号を生成する
フォーマッタと、該フォーマッタから出力されるＥＦＭ信号を受け取って
と、該コピー防止加工手段から出力される加工後のＥＦＭ信号に従い
とする設計は当業者が適宜なし得たものである。（なお、ソースに基づく信号のサブコードに対して別途コピー防止加工を施し、当該加工後の信号に従いスタンパーを作成する技術は周知（必要ならば特開２０００−２１５４６１号公報（【特許請求の範囲】【００３１】【図１】他）、特開２００１−２３６７６６号公報（【特許請求の範囲】【００１３】【図１】他）等を参照。）である。）
　そして、刊行物発明がＥＦＭ信号のＱチャネルに加工を施すものである以上、ＥＦＭ信号のＱチャネルコードを読み出す手段、読み出されたコードを加工する手段、ＥＦＭ信号のコードを加工されたコードに書き換える手段、及び、各手段間の同期をとる手段を備えることは、Ｑチャネル加工の為の具体的構成として通常に想到し得るものであり、刊行物発明において上記設計を採用するに際し、
「
前記コピー防止加工手段は、ＥＦＭ信号を受信してサブコードを読み取るためのサブコードリードユニットと、該サブコードリードユニットを経た後のＥＦＭ信号を所定時間遅延させるディレイユニットと、該ディレイユニットを経た後のＥＦＭ信号を受信してサブコードを書き換えるためのサブコードライトユニットと、ＥＦＭ信号を受信した前記サブコードリードユニットからサブコードを読み取ってＱチャネルコードを抽出するリードプロセッサと、その抽出されたＱチャネルコード中の該当箇所を変更するコンピュータと、前記リードプロセッサが読み取ったサブコードに、前記コンピュータによる変更後のＱチャネルコードを組み込み、このサブコードを前記サブコードライトユニットへ送って該サブコードライトユニットに受信されているＥＦＭ信号のサブコードを書き換えるライトプロセッサと、を含んで構成される
とすることは、当業者が適宜なし得たものである。
　　　　
　相違点２に関し、
　ＣＤのマスタリングに際して、ＥＦＭ信号に従いスタンパーを作成するレーザー露光器を備えることは周知（必要ならば特開平９−１３８９７７号公報（【００１６】）等を参照。）であって、刊行物発明において、当該周知技術を適用すること、すなわち
「ＥＦＭ信号に従い
スタンパーを作成するレーザー露光器と、
とすることは、当業者が適宜なし得たものである。
　　　
　上記各相違点の判断を総合的に勘案しても、本願発明の奏する効果は刊行物に記載された発明及び周知の事項から当業者が十分予測可能なものであって格別なものとは言えない。
　したがって本願発明は、刊行物に記載された発明及び周知の事項に基づいて当業者が容易に発明をすることができたものである。
　
５．むすび
　
　以上のとおり、本願の請求項１に係る発明は、刊行物に記載された発明及び周知の事項に基づいて当業者が容易に発明をすることができたものであるから、特許法第２９条２項の規定により特許を受けることができない。
　したがって本願は、その余の請求項について論及するまでもなく拒絶すべきものである。
　　
　よって、結論のとおり審決する。